(57)【要約】【課題】バックアップ電源の消費が早い。【解決手段】電子機器は、電力の供給を受けている場合に時刻の更新を継続するリアルタイムクロック部と、本体に内蔵され、前記リアルタイムクロック部と電気的に接続されたバックアップ電源と、主電源からの電力供給をオフにするオフ指示の入力があった場合において前記主電源との電気的な接続が維持されているとき、前記主電源から前記リアルタイムクロック部へ電力を供給させる電源制御部とを備える。【選択図】図１
2012118036.tif 000002
【特許請求の範囲】
【請求項１】
電力の供給を受けている場合に時刻の更新を継続するリアルタイムクロック部と、
本体に内蔵され、前記リアルタイムクロック部と電気的に接続されたバックアップ電源と、
主電源からの電力供給をオフにするオフ指示の入力があった場合において前記主電源との電気的な接続が維持されているとき、前記主電源から前記リアルタイムクロック部へ電力を供給させる電源制御部と
を備える電子機器。
【請求項２】
前記バックアップ電源から前記リアルタイムクロック部に入力する入力電圧が、前記リアルタイムクロック部の閾値電圧以上か否かを判定する判定部を更に備える
請求項１に記載の電子機器。
【請求項３】
前記判定部は、前記バックアップ電源から入力する入力電圧が前記リアルタイムクロック部の閾値電圧未満であると判定した場合、警告信号を出力するとともに、
前記警告信号が入力されると、警告する警告部を更に有する
請求項２に記載の電子機器。
【請求項４】
前記オフ指示の入力があった場合、
前記電源制御部は、
前記主電源から前記リアルタイムクロック部への電力供給を、遮断時間の間、遮断するとともに、前記バックアップ電源から前記リアルタイムクロック部への電力の供給を開始して、
前記バックアップ電源から前記リアルタイムクロック部に入力する入力電圧が、前記リアルタイムクロック部の閾値電圧以上か否かを判定する判定時間の後、前記主電源から前記リアルタイムクロック部への電力の供給を再開する
請求項２または３に記載の電子機器。
【請求項５】
前記主電源は、複数の経路によって前記リアルタイムクロック部へ電力を供給し、
前記電源制御部は、
前記主電源と前記リアルタイムクロック部との間の一の経路の電力供給が遮断されると、前記遮断時間の間、電荷を蓄えることによって、前記主電源から前記リアルタイムクロック部への他の経路を遮断するとともに、電荷を蓄えると、前記主電源から前記リアルタイムクロック部への前記他の経路を接続する遅延接続回路を更に備える
請求項４に記載の電子機器。
【請求項６】
前記主電源は、複数の経路によって前記リアルタイムクロック部へ電力を供給し、
前記電源制御部は、
前記主電源と前記リアルタイムクロック部との間の一の経路の電力供給を遮断する遮断指示を出力するとともに、前記遮断指示の出力後、遮断時間が経過すると、他の経路の電力供給を接続する接続指示を出力する接続制御部を更に備える
請求項４に記載の電子機器。
【請求項７】
前記遮断時間は、前記判定時間よりも長い
請求項５または６に記載の電子機器。
【請求項８】
前記主電源から前記リアルタイムクロック部に入力される入力電圧は、前記バックアップ電源から前記リアルタイムクロック部に入力される入力電圧よりも高い
請求項２から７のいずれか１項に記載の電子機器。
【請求項９】
前記閾値電圧は、前記リアルタイムクロック部が駆動できる駆動電圧よりも高い
請求項２から８のいずれか１項に記載の電子機器。
【請求項１０】
前記閾値電圧は、高閾値電圧及び低閾値電圧を含む
請求項９に記載の電子機器。
【発明の詳細な説明】
【技術分野】
【０００１】
本発明は、電子機器に関する。
【背景技術】
【０００２】
時刻を更新するリアルタイムクロック部と、主電源から電力が供給されないオフ状態の場合にリアルタイムクロック部に電力を供給するバックアップ電源を備える電子機器が知られている（例えば、特許文献１）。
［先行技術文献］
［特許文献］
［特許文献１］特開２０１０−１０１８１８号公報
【発明の概要】
【発明が解決しようとする課題】
【０００３】
しかしながら、主電源からの電力供給が遮断されている場合に、バックアップ電源が、リアルタイムクロック部に電力を供給するため、バックアップ電源の消耗が早いといった課題がある。
【課題を解決するための手段】
【０００４】
上記課題を解決するために、本発明の第１の態様の電子機器においては、電力の供給を受けている場合に時刻の更新を継続するリアルタイムクロック部と、本体に内蔵され、前記リアルタイムクロック部と電気的に接続されたバックアップ電源と、主電源からの電力供給をオフにするオフ指示の入力があった場合において前記主電源との電気的な接続が維持されているとき、前記主電源から前記リアルタイムクロック部へ電力を供給させる電源制御部とを備える。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】実施形態による電子機器の全体構成を示すブロック図である。
【図２】実施形態による電子機器のオフ状態での電力供給を説明するフローチャートである。
【図３】一部を変更した実施形態による電子機器の全体構成を示すブロック図である。
【図４】一部を変更した実施形態による電子機器のオフ状態での電力供給を説明するフローチャートである。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、実施形態による電子機器の全体構成を示すブロック図である。本実施形態の電子機器は、デジタルカメラを含む撮像装置等に搭載することができる。
【０００９】
図１に示すように、電子機器１０は、主電源１２と、電源スイッチ１４と、バックアップ電源１６と、電源制御部１８と、リアルタイムクロック部２０と、警告部２２と、オン用駆動部品２４と、常時駆動部品２６とを備えている。
【００１０】
主電源１２の一例は、リチウムイオン電池等の充電可能な二次電池である。主電源１２は、ユーザが着脱可能に電子機器１０に設けられている。主電源１２は、電源制御部１８に接続されている。主電源１２は、オン状態において、電源制御部１８を介して、リアルタイムクロック部２０、オン用駆動部品２４及び常時駆動部品２６に電力を供給する。主電源１２は、オフ状態において、オン用駆動部品２４には電力を供給しないが、常時駆動部品２６には電力を供給する。主電源１２は、オフ状態において、バックアップ電源１６からリアルタイムクロック部２０に電力が供給されている時間以外は、リアルタイムクロック部２０に電力を供給する。主電源１２からリアルタイムクロック部２０に入力する入力電圧は、バックアップ電源１６からリアルタイムクロック部２０に入力する入力電圧よりも高い。例えば、主電源１２が、リアルタイムクロック部２０に供給する電力の入力電圧は３．３Ｖである。尚、主電源１２としてＡＣアダプターを介して電力を供給するために、主電源１２として二次電池が装填される電池室等に、ＡＣアダプターを接続するためのコネクターを装填可能な構成としてもよい。この構成により、電子機器１０の電源制御部１８と、ＡＣアダプターとが、コネクターを介して電気的に接続される。
【００１１】
電源スイッチ１４は、主電源１２に電力を供給させるためのオン指示、及び、主電源１２からの電力供給をオフにするオフ指示を入力するためにユーザによって操作される。電源スイッチ１４は、電源制御部１８に信号を入力可能に接続されている。電源スイッチ１４は、ユーザによって操作されると、オン指示またはオフ指示を電源制御部１８へと出力する。
【００１２】
バックアップ電源１６は、ボタン型電池等の一次電池からなる。尚、バックアップ電源１６を二次電池によって構成してもよい。バックアップ電源１６は、主電源１２とは別個に電子機器１０に内蔵されている。バックアップ電源１６は、リアルタイムクロック部２０と電気的に接続されている。バックアップ電源１６は、主電源１２が電子機器１０から取り外された場合、リアルタイムクロック部２０に電力を供給する。また、バックアップ電源１６は、主電源１２が装着されている状態でも、オフ指示が入力された後、後述する遮断時間の間、リアルタイムクロック部２０に電力を供給する。バックアップ電源１６からリアルタイムクロック部２０に入力する入力電圧は、主電源１２からリアルタイムクロック部２０に入力する入力電圧が３．３Ｖの場合、例えば、３．１Ｖである。
【００１３】
電源制御部１８は、電子機器１０の電力供給を制御する。電源制御部１８は、主電源１２及びバックアップ電源１６と、リアルタイムクロック部２０、オン用駆動部品２４、及び、常時駆動部品２６とを電力供給可能に接続する。電源制御部１８は、スイッチ制御部３０と、オン用同期電源回路３２と、常時給電系電源回路３４と、電源合流回路３６とを有する。
【００１４】
スイッチ制御部３０は、電源スイッチ１４からオン指示が入力されると、接続指示をオン用同期電源回路３２に出力する。スイッチ制御部３０は、電源スイッチ１４からオフ指示が入力されると、遮断指示をオン用同期電源回路３２に出力する。
【００１５】
オン用同期電源回路３２は、電源合流回路３６を介して、主電源１２とリアルタイムクロック部２０とを接続する。オン用同期電源回路３２は、電源スイッチ１４から入力される接続指示または遮断指示に基づいて、主電源１２からの電力の接続及び遮断を切り替える。例えば、スイッチ制御部３０からオン用同期電源回路３２に接続指示が入力されると、オン用同期電源回路３２は接続状態となる。これにより、主電源１２は、オン用同期電源回路３２を介して、リアルタイムクロック部２０、及び、オン用駆動部品２４に電力を供給する。一方、スイッチ制御部３０からオン用同期電源回路３２に遮断指示が入力されると、オン用同期電源回路３２は、遮断状態となる。これにより、主電源１２からリアルタイムクロック部２０及びオン用駆動部品２４への電力供給が停止する。
【００１６】
常時給電系電源回路３４は、電源合流回路３６を介して、主電源１２と、常時駆動部品２６及びリアルタイムクロック部２０とを常時、オン用同期電源回路３２よりも低い電圧で、電力供給可能な接続状態にする。これにより、常時給電系電源回路３４は、オン状態及びオフ状態に関わらず、主電源１２からの電力を常時駆動部品２６へと供給する。また、オン状態のみならず、オフ指示の入力があった場合においても、主電源１２と電気的に接続されているときは、後述する遮断時間を除き、常時給電系電源回路３４によって、主電源１２からリアルタイムクロック部２０へ電力が供給される。主電源１２は、オン用同期電源回路３２を経由する経路及び常時給電系電源回路３４を経由する経路の２つの経路によってリアルタイムクロック部２０へ電力を供給することになる。尚、３以上の経路によって、主電源１２とリアルタイムクロック部２０とを接続してもよい。
【００１７】
電源合流回路３６は、主電源１２からオン用同期電源回路３２及び常時給電系電源回路３４を介して供給される電力と、バックアップ電源１６から供給される電力とを合流させる。電源合流回路３６は、遅延接続回路４０と、整流器４２と、整流器４４と、整流器４６とを有する。
【００１８】
遅延接続回路４０は、常時給電系電源回路３４と、整流器４２とを接続する。遅延接続回路４０は、抵抗及びコンデンサを含むＲＣ回路を有する。遅延接続回路４０のコンデンサの一端は、オン用同期電源回路３２と整流器４４との経路上に接続されている。遅延接続回路４０は、オフ指示が入力されて、オン用同期電源回路３２を経由する主電源１２とリアルタイムクロック部２０との経路による電力供給が遮断されることによって、オン用同期電源回路３２の出力電圧が略「０」になると、コンデンサによって電荷を蓄え始める。これにより、常時給電系電源回路３４を経由する主電源１２からリアルタイムクロック部２０への経路が遮断される。このため、オフ指示が入力されると、主電源１２からオン用同期電源回路３２及び常時給電系電源回路３４を介しての電力供給が停止する。この結果、主電源１２からリアルタイムクロック部２０への電力供給が停止するので、バックアップ電源１６がリアルタイムクロック部２０への電力供給を開始する。この後、遅延接続回路４０は、遮断時間が経過すると、コンデンサによる電荷の蓄えが終了するので、再度、主電源１２からリアルタイムクロック部２０への常時給電系電源回路３４による経路を接続する。これにより、オフ指示が入力されてオフ状態となっても、バックアップ電源１６よりも入力電圧の高い主電源１２は、常時給電系電源回路３４及び遅延接続回路４０を介して、リアルタイムクロック部２０へ電力を供給する。尚、遮断時間の下限は、後述するリアルタイムクロック部２０の判定時間である。遮断時間の一例は、数十ｍ秒である。遅延接続回路４０は、抵抗及び電気容量によって決定される遅延時間の後、接続される一般的な遅延回路を設けることによって実現できる。この場合、上述の遮断時間は、抵抗及び電気容量によって決定される遅延時間となる。
【００１９】
これにより、電源制御部１８は、オフ指示の入力があった場合、主電源１２を遮断するとともに、バックアップ電源１６からリアルタイムクロック部２０への電力の供給を開始することになる。そして、電源制御部１８は、バックアップ電源１６からリアルタイムクロック部２０に入力する入力電圧が、遮断時間の後、主電源１２からリアルタイムクロック部２０への電力の供給を再開することになる。
【００２０】
整流器４２は、遅延接続回路４０とリアルタイムクロック部２０と電力供給可能に接続する。整流器４２は、バックアップ電源１６及びリアルタイムクロック部２０から遅延接続回路４０及び常時給電系電源回路３４への電力の逆流を遮断する。
【００２１】
整流器４４は、オン用同期電源回路３２とリアルタイムクロック部２０とを電力供給可能に接続する。整流器４４は、バックアップ電源１６及びリアルタイムクロック部２０からオン用同期電源回路３２への電力の逆流を遮断する。
【００２２】
整流器４６は、バックアップ電源１６とリアルタイムクロック部２０とを電力供給可能に接続する。整流器４６は、主電源１２及びリアルタイムクロック部２０からバックアップ電源１６への電力の逆流を遮断する。
【００２３】
リアルタイムクロック部２０は、オン状態及びオフ状態に関わらず、電力の供給を受けている場合に時刻の更新を継続する。リアルタイムクロック部２０は、電源合流回路３６の出力側に接続されている。リアルタイムクロック部２０には、電源合流回路３６を介して、オン状態及びオフ状態に関わらず、主電源１２またはバックアップ電源１６のいずれかから電力が供給される。
【００２４】
リアルタイムクロック部２０は、判定部の一例であって、電源合流回路３６を介して、主電源１２及びバックアップ電源１６からリアルタイムクロック部２０に入力する入力電圧が閾値電圧以上か否かを、判定時間の間に判定する。判定時間は、リアルタイムクロック部２０が電圧低下を検出可能な最短時間以上である。判定時間の一例は、数十μｍ秒である。ここで、閾値電圧は、リアルタイムクロック部２０が駆動可能な駆動電圧よりも高い。従って、入力電圧が、閾値電圧以上の場合、リアルタイムクロック部２０は、正常に駆動して、時刻の更新を継続する。リアルタイムクロック部２０は、主電源１２及びバックアップ電源１６から入力する入力電圧が、リアルタイムクロック部２０の閾値電圧未満であると判定した場合、警告部２２へ警告信号を出力する。
【００２５】
警告部２２は、リアルタイムクロック部２０から警告信号が入力されると、ユーザに認識可能な状態で警告する。警告の方法は、液晶表示部への画像表示、または、スピーカによる警告音を発する等である。
【００２６】
オン用駆動部品２４は、オン用同期電源回路３２に接続されている。これにより、オン用駆動部品２４は、オン用同期電源回路３２を介して、主電源１２から電力が供給される。このため、オン用駆動部品２４には、オン状態において主電源１２から電力が供給され、オフ状態においては電力が供給されない。オン用駆動部品２４は、種々の電子部品を含む。例えば、電子機器１０が撮像装置に搭載された場合、オン用駆動部品２４は、レンズ駆動機構、ＣＣＤまたはＣＭＯＳセンサ等の撮像素子、撮像された画像を表示する液晶表示装置等である。
【００２７】
常時駆動部品２６は、常時給電系電源回路３４に接続されている。これにより、常時駆動部品２６は、常時給電系電源回路３４を介して、オン状態及びオフ状態の両状態で主電源１２から電力が供給される。常時駆動部品２６は、種々の電子部品を含む。例えば、電子機器１０が撮像装置に搭載された場合、常時駆動部品２６は、時刻またはバッテリ残量等を常時表示する小型の液晶表示部、警告部２２が警告するための液晶表示部及びスピーカ等である。
【００２８】
図２は、実施形態による電子機器のオフ状態での電力供給を説明するフローチャートである。尚、図２のフローチャートは、オン状態から開始する。
【００２９】
オフ指示が電源スイッチ１４によってスイッチ制御部３０に入力されるまで、オン状態が維持される（Ｓ１００：Ｎｏ）。オン状態では、主電源１２が、オン用同期電源回路３２及び常時給電系電源回路３４を介して、リアルタイムクロック部２０、オン用駆動部品２４、及び、常時駆動部品２６に電力を供給する。
【００３０】
オフ指示が電源スイッチ１４によってスイッチ制御部３０に入力されると（Ｓ１００：Ｙｅｓ）、スイッチ制御部３０は、遮断指示をオン用同期電源回路３２に出力する（Ｓ１０２）。これにより、オン用同期電源回路３２は、主電源１２からの電力供給を遮断する（Ｓ１０４）。この結果、主電源１２は、オン用同期電源回路３２を介してのリアルタイムクロック部２０及びオン用駆動部品２４への電力供給を停止する。
【００３１】
オン用同期電源回路３２を介しての電力供給が遮断されると、遅延接続回路４０が、コンデンサによって電荷の蓄電を開始する（Ｓ１０６：Ｙｅｓ）。これにより、遅延接続回路４０は、常時給電系電源回路３４を介しての主電源１２からの電力供給を遮断することになる。この結果、主電源１２からリアルタイムクロック部２０への電力供給が停止するので、バックアップ電源１６からリアルタイムクロック部２０への電力供給が開始する。
【００３２】
リアルタイムクロック部２０は、判定時間の間に、バックアップ電源１６からの入力電圧が閾値電圧以上か否かを判定する（Ｓ１１０）。リアルタイムクロック部２０は、入力電圧が閾値電圧未満であると判定すると（Ｓ１１０：Ｎｏ）、警告部２２に警告信号を出力する。これにより、警告部２２は、バックアップ電源１６からの入力電圧が低下していることを液晶表示部等によって警告する（Ｓ１１２）。一方、リアルタイムクロック部２０は、入力電圧が閾値電圧以上であると判定すると（Ｓ１１０：Ｙｅｓ）、ステップＳ１１２を実行しない。
【００３３】
遮断時間が経過すると、遅延接続回路４０のコンデンサによる電荷の蓄電が終了する（Ｓ１１４）。これにより、遅延接続回路４０が再度接続されるので、遅延接続回路４０を介して、主電源１２とリアルタイムクロック部２０が接続される。ここで、主電源１２からリアルタイムクロック部２０に入力される入力電圧は、バックアップ電源１６からリアルタイムクロック部２０に入力される入力電圧よりも高い。従って、遅延接続回路４０が接続されることによって、入力電圧の高い主電源１２からリアルタイムクロック部２０に電力が供給されることになる。
【００３４】
この後、オフ状態では、主電源１２が、装着され、且つ、バックアップ電源１６よりも高い電圧をリアルタイムクロック部２０に出力している間は、リアルタイムクロック部２０は、主電源１２から電力供給を受ける。一方、主電源１２が取り外された場合、または、主電源１２からのリアルタイムクロック部２０に入力される入力電圧がバックアップ電源１６から入力される入力電圧よりも低くなった場合、リアルタイムクロック部２０は、バックアップ電源１６からの電力供給を受ける。ユーザが電源スイッチ１４によってオン指示を入力するまで、このオフ状態が継続する。
【００３５】
上述したように電子機器１０では、オフ状態であっても、主電源１２が装着されていると、主電源１２がリアルタイムクロック部２０に電力を供給する。従って、バックアップ電源１６の消費を遅らせることができる。これにより、一次電池であるバックアップ電源１６の交換作業を低減できるとともに、主電源１２の電力が低下した場合に、バックアップ電源１６が機能しないことを低減できる。また、バックアップ電源１６が二次電池であっても、バックアップ電源１６の消費を遅らせることにより、ユーザはバックアップ電源１６の充電作業を低減できる。
【００３６】
電子機器１０では、オフ状態になると、遮断時間の間、主電源１２からリアルタイムクロック部２０への電力供給が遮断される。これにより、バックアップ電源１６がリアルタイムクロック部２０へ電力を供給するので、リアルタイムクロック部２０は、バックアップ電源１６の入力電圧が閾値電圧以上か否かを判定して、自然放電等に起因するバックアップ電源１６の電圧低下を検出することができる。また、閾値電圧が、駆動電圧よりも高く設定されるので、リアルタイムクロック部２０が駆動可能な状態で、バックアップ電源１６の電圧低下を検出できる。また、警告部２２によって、バックアップ電源１６の電圧が低下したことを警告することにより、ユーザは、バックアップ電源１６の交換作業または充電の時期を認識することができる。
【００３７】
電子機器１０では、主電源１２からリアルタイムクロック部２０へ入力される入力電圧を、バックアップ電源１６からリアルタイムクロック部２０へ入力される入力電圧よりも高く設定している。これにより、主電源１２から電力供給を遮断することによって、バックアップ電源１６がリアルタイムクロック部２０へ電力を供給できる。この結果、構成を簡略化することができる。
【００３８】
図３は、一部を変更した実施形態による電子機器の全体構成を示すブロック図である。尚、上述した実施形態と同様の構成には、同じ符号を付けて説明を省略する。
【００３９】
図３に示す実施形態では、スイッチ制御部１３０は、接続制御部の一例であって、接続遮断部１４０に遮断指示及び接続指示を出力可能に接続されている。これにより、ユーザが電源スイッチ１４によってオフ指示を入力すると、スイッチ制御部１３０は、オン用同期電源回路３２及び接続遮断部１４０へ遮断指示を出力する。接続遮断部１４０は、遮断指示が入力されると、図３の実線で示すように、常時給電系電源回路３４とリアルタイムクロック部２０との間を遮断する。また、スイッチ制御部１３０は、遮断指示の出力後、遮断時間が経過すると、接続遮断部１４０へ接続指示を出力する。接続遮断部１４０は、接続指示が入力されると、図３の点線で示すように、常時給電系電源回路３４とリアルタイムクロック部２０とを接続する。これにより、遮断時間の間、主電源１２からリアルタイムクロック部２０への電力供給への電力供給が遮断されるので、バックアップ電源１６が、リアルタイムクロック部２０へ電力を供給する。尚、スイッチ制御部１３０には、常時、基準クロックが入力されている。
【００４０】
図４は、一部を変更した実施形態による電子機器のオフ状態での電力供給を説明するフローチャートである。尚、上述した実施形態と同様のステップには、同じステップ番号を付けて説明を省略する。
【００４１】
図４に示すように、オフ指示が入力されると（Ｓ１００）、スイッチ制御部１３０は、オン用同期電源回路３２及び接続遮断部１４０に遮断指示を出力する（Ｓ２０２）。これにより、オン用同期電源回路３２が主電源１２からリアルタイムクロック部２０への電力供給を遮断するとともに、接続遮断部１４０も主電源１２からリアルタイムクロック部２０への電力供給を遮断する（Ｓ２０４）。これにより、バックアップ電源１６からリアルタイムクロック部２０への電力供給が開始される。この後、上述した実施形態と同様に、ステップＳ１１０及びＳ１１２が実行される。次に、スイッチ制御部３０は、遮断時間が経過したか否かを判定する（Ｓ２１４）。スイッチ制御部３０が、遮断時間が経過したと判定するまで（Ｓ２１４：Ｎｏ）、ステップＳ１１０及びＳ１１２が繰り返される。スイッチ制御部３０は、遮断時間が経過したと判定すると（Ｓ２１４：Ｙｅｓ）、接続遮断部１４０に接続指示を出力する（Ｓ２１６）。これにより、接続遮断部１４０は、常時給電系電源回路３４とリアルタイムクロック部２０との間の経路を接続する（Ｓ２１８）。これにより、主電源１２からリアルタイムクロック部２０への電力供給が再開される。
【００４２】
また、上述した両実施形態では、閾値電圧を１つとして説明したが、閾値電圧を複数設定してもよい。例えば、閾値電圧が、高閾値電圧及び高閾値電圧よりも低い低閾値電圧を有するようにしてもよい。そして、リアルタイムクロック部２０は、高閾値電圧よりも入力電圧が低い場合と、低閾値電圧よりも入力電圧が低い場合とによって、警告部２２へ出力する警告信号を異ならせてもよい。これにより、警告部２２は、異なる警告を発することができる。特に、入力電圧が、低閾値電圧よりも低い場合、緊急性が高いので、警告部２２が画像表示と警告音の両方によって警告するように構成してもよい。
【００４３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４５】
１０  電子機器 
１２  主電源 
１４  電源スイッチ 
１６  バックアップ電源 
１８  電源制御部 
２０  リアルタイムクロック部 
２２  警告部 
２４  オン用駆動部品 
２６  常時駆動部品 
３０  スイッチ制御部 
３２  オン用同期電源回路 
３４  常時給電系電源回路 
３６  電源合流回路 
４０  遅延接続回路 
４２  整流器 
４４  整流器 
４６  整流器 
１３０  スイッチ制御部 
１４０  接続遮断部 
【図１】
2012118036.tif 000003
【図２】
2012118036.tif 000004
【図３】
2012118036.tif 000005
【図４】
2012118036.tif 000006